(57)【要約】      （修正有）【課題】絵ハガキと保険申込書とが合冊されたポストカードブックを提供する。【解決手段】絵ハガキであるポストカード２と保険申込書であるポストカード３とが合冊されているポストカードブック１を提供する。保険申込書にポストカードブック１に合冊されたものであることを峻別できる印刷をすることにより、ポストカードブック１の購入料金を保険料金に充当することができる。また、保険の申し込みを受け付けるホームページに関する情報（例えばＱＲコード：登録商標）を印刷した情報印刷ページ４をポストカードブック１に付してもよい。【選択図】図１
0003217324.tif 000002
【実用新案登録請求の範囲】
【請求項１】
絵ハガキであるポストカードと、
保険申込書であるポストカードとが合冊されていることを特徴とする、ポストカードブック。
【請求項２】
前記保険申込書は、前記ポストカードブックに合冊されたものであることを峻別できる印刷がなされていることを特徴とする、請求項１に記載のポストカードブック。
【請求項３】
前記保険申込書に貼付して被覆するための保護シールを備えることを特徴とする、請求項１又は２に記載のポストカードブック。
【請求項４】
前記保険申込書であるポストカードによって申し込まれる保険の申し込みを受け付けるホームページに関する情報を印刷したページを備えることを特徴とする、請求項１又は２に記載のポストカードブック。
【請求項５】
前記ホームページに関する情報は、該情報を印刷したページからのアクセスであることを峻別できるものであることを特徴とする、請求項４に記載のポストカードブック。
【請求項６】
前記絵ハガキであるポストカードは、複数枚のポストカードであり、
前記保険申込書であるポストカードは、前記複数枚のポストカードの内容に関連した保険に関するものであることを特徴とする、請求項１〜５のいずれか1項に記載のポストカードブック。
【考案の詳細な説明】
【技術分野】
【０００１】
本考案は、複数のポストカードが合冊されたポストカードブックに関する。
【背景技術】
【０００２】
絵ハガキ等のハガキを重ね合わせて合冊製本したポストカードブックが知られている（例えば特許文献１参照）。
【０００３】
また、保険契約その他の契約の申込書を、関連資料と一緒に製本して提供することが行われている（例えば特許文献２参照）。
【０００４】
ここで、保険契約の申込書は、ハガキを用いることができる。してみれば、絵ハガキと保険申込書を１のポストカードブックに合冊すれば、落ち着いたデザインとなる。
【先行技術文献】
【特許文献】
【０００５】
【特許文献１】特開平１０−３０５６７７号公報
【特許文献２】特開２００５−２２５１０２号公報
【考案の概要】
【考案が解決しようとする課題】
【０００６】
本考案は、絵ハガキと保険申込書とが合冊されたポストカードブックを提供することを課題とする。
【０００７】
絵ハガキと保険申込書とが合冊されることで、後述の実施例に示す効果を得ることができる。
【課題を解決するための手段】
【０００８】
本考案のポストカードブックは、
絵ハガキであるポストカードと、
保険申込書であるポストカードとが合冊されていることを特徴とする。
【０００９】
これによれば、絵ハガキと保険申込書を合冊して、全体として１冊の、落ち着いたデザインのポストカードブックが提供される。
【００１０】
本考案のポストカードブックは、
前記保険申込書は、前記ポストカードブックに合冊されたものであることを峻別できる印刷がなされていることを特徴とする。
【００１１】
これによれば、保険申込書を受領した保険会社が、ポストカードブックに合冊されたものであることを知ることができる。保険料金等の特別な処理が可能である。
【００１２】
本考案のポストカードブックは、
前記保険申込書に貼付して被覆するための保護シールを備えることを特徴とする。
【００１３】
これによれば、保険申込書に記入して郵送する際に、個人情報を保護することができる。
【００１４】
本考案のポストカードブックは、
前記保険申込書であるポストカードによって申し込まれる保険の申し込みを受け付けるホームページに関する情報を印刷したページを備えることを特徴とする。
【００１５】
これによれば、保険申込書に記入して郵送する以外に、ホームページにおいて入力することもできる。なお、ＱＲコード（登録商標）を印刷することで、携帯電話機等で容易にホームページへのアクセスが可能である。
【００１６】
本考案のポストカードブックは、
前記ホームページに関する情報は、該情報を印刷したページからのアクセスであることを峻別できるものであることを特徴とする。
【００１７】
これによれば、ホームページにおける入力を受信した保険会社が、ポストカードブックに基づいてアクセスされたことを知ることができる。保険料金等の特別な処理が可能である。
【００１８】
本考案のポストカードブックは、
前記絵ハガキであるポストカードは、複数枚のポストカードであり、
前記保険申込書であるポストカードは、前記複数枚のポストカードの内容に関連した保険に関するものであることを特徴とする。
【００１９】
これによれば、ポストカードをテーマに合わせて選定し、そのテーマに関連した保険の申込書を付することができる。
【考案の効果】
【００２０】
本考案によれば、絵ハガキと保険申込書とが合冊されたポストカードブックを提供することができる。
【図面の簡単な説明】
【００２１】
【図１】図１は、ポストカードブックを示す図である。
【図２】図２は、絵ハガキを示す図である。
【図３】図３は、保険申込書を示す図である。
【図４】図４は、情報印刷ページを示す図である。
【考案を実施するための形態】
【００２２】
以下、本考案の実施例について説明する。
【００２３】
図１は、ポストカードブックを示す図である。ポストカードブック１は、表紙１ａと裏表紙（情報印刷ページ４であるとする）の間に、ポストカードが合冊されている。合冊されたポストカードのうち１枚（本実施例では一番下のものとするが、他のものでもよい）が、保険申込書３であり、他のものが絵ハガキ２である。
【００２４】
図２は、絵ハガキを示す図である。絵ハガキ２は、端部２ｃが閉じられており、端部から切離して使用する。一面が絵の面２ａ、他の面が宛名面２ｂである。なお、端部２ｃに、絵ハガキの内容の説明を記入してもよい。
【００２５】
図３は、保険申込書を示す図である。保険申込書３は、端部３ｃが閉じられており、端部から切離して使用する。一面が記入面３ａ、他の面が宛名面３ｂである。
【００２６】
記入面３ａには、保険申込みに必要な情報の記入欄が設けられている。
【００２７】
宛名面３ｂには、保険会社の宛先が予め印刷されている。ここで、「ＰＢ担当」との記載は、ポストカードブックに合冊されたことを示す。保険申込書を受領した保険会社は、ポストカードブックに合冊されたものであることを知ることができ、保険料金の割引等の特別な処理をすることができる。なお、ポストカードブックに合冊されたことを示す記載は、記入面３ａ又は宛名面３ｂの任意の箇所に任意の態様で示してよい。
【００２８】
図４は、情報印刷ページを示す図である。情報印刷ページ４には、ＵＲＬ４ａ及びＱＲコード４ｂが印刷され、保護シール４ｃが貼付されている。
【００２９】
ＵＲＬ４ａ及びＱＲコード４ｂは、保険申込書に記入して郵送せずに、ホームページにおいて入力することを希望する者のために保険申込みホームページを案内するものである。ＱＲコードによれば、携帯電話機等で容易にホームページへのアクセスが可能である。ＵＲＬ４ａ及びＱＲコード４ｂは、両方でなく、片方のみを印刷してもよい。
【００３０】
ここでＵＲＬ４ａ及びＱＲコード４ｂは、ポストカードブック１に基づいてアクセスされたことが分かるものであることが好ましい。ポストカードブック１に基づくアクセスに固有のホームページのＵＲＬとする、パラメータ（例えばＵＲＬの末尾に”?input=postcardbook”）を付す等である。
【００３１】
保護シール４ｃは、保険申込書に記入して郵送する場合に、記入面３ａに記入された個人情報を隠すものである。情報印刷ページ４から剥がし、記入面３ａに貼付して用いることができる。
【００３２】
なお、情報印刷ページ４が裏表紙であるとして説明したが、他の箇所に設けられたページであってもよい。例えば、保険申込書３を図１における右方に延伸し、そこに情報印刷ページ４の機能を持たせてもよい。保険申込書３に係る情報であることが明白になる。また、１ページでなく、２ページ以上に分けてもよい。
【００３３】
ポストカードブックを販売する際、その価格の一定の割合以下であれば、保険料に充当することが認められている。そこで、上述のように、保険申込書（又はホームページ）がポストカードブックに基づくものであることを明示し、受領した保険会社が充当された額を保険料から減額することもできる。保険の販売促進に寄与するポストカードブックとなる。
【００３４】
保険申込書と合冊される絵ハガキは、任意の絵柄のものを用いることができる。ここで、以下に例示するように、テーマを定めて絵ハガキを作成（選択）し、そのテーマ（絵ハガキの内容）に関する保険申込書と合冊することで、保険を申し込むインセンティブを与えることができる。なお、以下に例示する保険の名称は、仮に名付けたものである。
【００３５】
赤ちゃん（人間でなくパンダの赤ちゃん等でもよい）の写真ハガキ複数枚からなる「ポストカード」に、「安心見守り保険申込書」を付帯した「ポストカードブック」を制作し、これを「子育て支援のためのキャンペーン・ツール」として販売する事により、善意の基金集めをする。
【００３６】
人口減少が著しい過疎地の活性化のために、地域住民の協働による「お国自慢」を題材にした絵手紙や写真など複数枚からなる「ポストカード」に、「おもてなし保険申込書」を付帯した「ポストカードブック」を制作・販売する事により、その収益金の一部は、「地域活性化のための支援基金」として活用する。
【００３７】
地域シルバー人材センターや老人ホーム入居者などの高齢者が協働で創作した選定作品を複数枚の絵ハガキからなる「ポストカード」に、「転ばぬ先の安心保険申込書」を付帯した「ポストカードブック」を制作・販売する事により、その収益金の一部は、「人生１００歳時代」に向けて「ポストカードブック」の協働制作や販売活動の一端を請負参加する事で、少額であっても収入が得られる様な仕組みを創成する。
【００３８】
「五つのスマートコイン（“希望““安全”“平和”“自由”“自立”）」を題材にした絵を子供達に描いてもらい、これを複数枚の「ポストカード」として企画編集し、これに「明るい未来保険申込書」を付けて制作・販売する事により、その収益金の一部は、「オリンピック、パラリンピックに出場する日本選手の強化活動のための支援基金」、さらに「紛争、貧困で苦しんでいる世界の子供達のための救援基金」としても活用する。  
【００３９】
以上詳細に説明したように、本考案のポストカードブックは、落ち着いたデザインで保険申込書を含むことができ、保険の販売促進に役立つものである。
【産業上の利用可能性】
【００４０】
絵ハガキと保険申込書とが合冊されたポストカードブックである。ポストカードブックの購入料金を保険料金に充当すること等の効用があり、多くの場面での利用が考えられる。
【符号の説明】
【００４１】
１      ポストカードブック
１ａ    表紙
２      絵ハガキ
２ａ    絵の面
２ｂ    宛名面
３      保険申込書
３ａ    絵の面
３ｂ    宛名面
４      情報印刷ページ  
４ａ    ＵＲＬ
４ｂ    ＱＲコード
４ｃ    保護シール
【図１】
0003217324.tif 000003
【図２】
0003217324.tif 000004
【図３】
0003217324.tif 000005
【図４】
0003217324.tif 000006